(57)【要約】  本発明は、前後方向が上向きに傾いて底面中央にアーチ溝を形成した履き物インソールの上面に硬質中敷きが設けられ、硬質中敷きの上面に甲皮が付着する履き物を製作するのに使われる前後方向が上向き傾いた靴敷きに関する。より詳細にはインソール底面のアーチ溝にクッション材を挿入させた状態で履き物インソールの底全体面にノンスリップ敷きを付着して、履き物インソールの上面が硬質中敷きの上面で露出するようにして、硬質中敷きの上面前後方向にクッション材を付着することで、底全体面に付着したノンスリップ敷きによって滑ることを防止することができるようにすると同時に前後方向と中央部に設置されたクッション材によって硬質中敷きが設けられているにもかかわらず硬く感じないようにして、硬質中敷きの上面に露出する突出付着部によって甲皮の底面が履き物インソールの上部に堅固に接着されることができるようにするためのものである。
2009519741.tif 000002
【特許請求の範囲】
【請求項１】
底面中央部に横方向にアーチ溝１１を形成して、前記アーチ溝１１の前後方向底面が上向きに傾くように形成されるインソール１０の上面に硬質中敷き２０が付着設置される靴敷きにおいて、
前記アーチ溝１１の底面には、アーチ溝１１を補う形態で中央クッション１２が付着されて、前記中央クッション１２の底面を含んだインソール１０の底面全体にはノンスリップ敷き付着溝１３が形成されて、このノンスリップ敷き付着溝１３にノンスリップ敷き１４が付着設置されることを特徴とする前後方向が上向きに傾いた靴敷き。
【請求項２】
前記硬質中敷き２０の前後方向上面には、前後方向クッション２３、２４が付着されたことを特徴とする請求項１に記載の前後方向が上向きに傾いた靴敷き。
【請求項３】
前記インソール１０の上面には硬質中敷き２０と同一な形状と厚さ程度の深さの中敷き挿入溝１５が形成されて、突出枠部１６の内周底面にわく型の甲皮底面付着部１７が形成されて、前記中敷き挿入溝１５の前後方向底面には甲皮底面付着部１７と同一な高さの前後方向突出付着部１８、１９が前後長さ方向に突出されるように形成されて、前記硬質中敷き２０の前後方向には前記前後方向突出付着部１８、１９が上向き貫通される前後方向切開部２１、２２が上下に貫通されるように形成されることを特徴とする請求項１または２に記載の前後方向が上向きに傾いた靴敷き。
【発明の詳細な説明】
【技術分野】
【０００１】
本発明は、前後方向が上向きに傾いて底面中央にアーチ溝を形成した履き物インソールの上面に硬質中敷きが設けられて、硬質中敷きの上面に甲皮が付着する履き物を製作するのに使われる前後方向が上向きに傾いた靴敷きに関するものであり、より詳細には、インソール底面のアーチ溝にクッション材を挿入させた状態で履き物インソールの底全面にノンスリップ敷きを付着して、履き物インソールの上面が硬質中敷きの上面に露出するようにして、硬質中敷きの上面前後方向にクッション材を付着することで、底全面に付着したノンスリップ敷きによって階段を上り下りする時にも滑ることを防止することができるようにすると同時に前後方向と中央部に設置されたクッション材によって硬質中敷きが設けられているにもかかわらず硬く感じないようにして、硬質中敷きの上面に露出する突出付着部によっては、甲皮の底面が履き物インソールの上部に堅固に接着されることができるようにするためのものである。
【背景技術】
【０００２】
従来の前後方向が上向きに傾いた靴敷きに対する特許出願件が存在しているが、この従来の発明は韓国特許出願公開第２００４-０１０８８７０号公報(発明の名称:後方バランスウォーキング靴)として知られている。このような従来発明は、履き物インソールの中心からかかと側に二重接地軸が形成されて、前記二重接地軸を中心に前軸部分とかかと部分が上側に傾斜をなすように形成されて、前記二重接地軸を作用点にして前軸部分とかかと部分が上下流動されるように形成されることを特徴とする後方バランスウォーキング靴を技術的要旨としている。
【０００３】
前記のような従来発明の構成は、インソール中心からかかと側に二重接地軸が形成されて、前記二重接地軸を中心に前軸部分とかかと部分が上側に傾斜をなすように形成されて、前記二重接地軸を作用点にして前軸部分とかかと部分が上下流動されるように形成されていて、前記インソール上面にはプラスチック板の間にステンレス板を挿入させた剛性補助インソールが付着されているものである。
【０００４】
前記インソールはクッションがある、通常、発泡ポリウレタンによって成形されて、その上面に硬質のプラスチック板でなされた剛性補助インソールを接着させて、その剛性補助インソールの上面に履き物甲皮が接着されてはじめて履き物の製作が完了するようになる。
【０００５】
一般に、発泡ポリウレタンで形成されるインソールに硬質のプラスチック板でなされた剛性補助インソールと皮や合成皮革、織物等で製作される甲皮とは、接着剤によって接着がよくできるが、硬質のプラスチック板でなされた剛性補助インソールと皮や合成皮革、織物等で製作される甲皮とは接着がよくできない性質を有している。
【０００６】
したがって、履き物を製造する時に、発泡ポリウレタンで形成される履き物インソールの上面に硬質のプラスチック板でなされた剛性補助インソールの底面が接着剤によって接着がよくできるが、プラスチック板でなされた剛性補助インソールの上面に甲皮の底面はよく接着されなくなる問題が発生されるようになる。
【０００７】
したがって、甲皮の底面と剛性補助インソールの上面との接着力を増大させるために硬質のプラスチック板でなされた剛性補助インソールの上面にまた他の織物を接着させた状態で、その上面に甲皮を接着させるようになるが、この場合にも剛性補助インソールの上面に接着させた織物が時間が経つにつれて落ちるようになることは同様で、このように製作された履き物をはいて歩く度に神経が苛立つ騷音が発生して履き心地が良くない問題があった。
【０００８】
また、前記従来の発明で履き物インソールの中央部底面にアーチ溝形態で形成される二重接地軸が履き物インソールの一部であり、インソールと一体で形成される部分であるために、前記二重接地軸部分もインソールと同一な材料である発泡ポリウレタンで形成される状態である。
【０００９】
そして、人々が履き物をはいて階段を上がる時、履き物インソールの前軸部分が階段の平坦面を踏むようになって、それと併せて履き物インソールの中央部底面は階段の角部分に接触されるようになる。
【００１０】
このような状況で従来発明によって製作された履き物をはいて階段を上がる時は、履き物インソールの中央部底面にアーチ溝形態で形成される部分に階段の角部分が踏まれるようになって、階段の角部と発泡ポリウレタンで形成されるアーチ溝部分ですべりが発生される危険性を内包していた。
【００１１】
それだけでなく、山道のようなデコボコした道を歩く時、石ころのような小さな突出物体が前記発泡ポリウレタンで形成されたアーチ溝部分に踏まれる場合に、滑ると共に足首をねんざすることがあるようになる問題と、足裏の中央部に石ころのような突出部が踏まれる度に痛みを感じるようになる問題があった。
【特許文献１】韓国特許出願公開第２００４-０１０８８７０号公報
【発明の開示】
【発明が解決しようとする課題】
【００１２】
本発明は、前記の問題点を解決するために、硬質のプラスチック板で形成される硬質中敷き(従来には、剛性補助インソールと記載した)に切開部を形成した後に、甲皮とよく付く履き物インソールの上面が部分的に上向き突出されながら前記切開部の上面に露出するようにして、硬質中敷きが付着した履き物インソールの上面に甲皮を堅固に接着させることができるようにし、履き物インソールの底面中央部に形成されるアーチ溝にはクッション材を挿入させた後に、履き物インソールの底全面にノンスリップ敷きを接着して、階段又はデコボコした道でのすべりを予防して足裏の中央に集中する荷重を緩和させることができるようにすることを技術的課題とする。
【課題を解決するための手段】
【００１３】
前記の目的を達成するための本発明は、底面中央部に横方向にアーチ溝を形成して、前記アーチ溝の前後方向底面が上向きに傾くように形成された履き物インソールの上面に、硬質中敷きが付着設置される靴敷きにおいて、前記アーチ溝の底面にはアーチ溝を補う形態で中央クッションが付着されて、前記中央クッションの底面を含んだ履き物インソールの底全面にはノンスリップ敷きが付着設置されて、履き物インソールの上面には硬質中敷きと同一な形状と厚さ程度の深さの中敷き挿入溝が形成されて、突出枠部の内周底面にわく型の甲皮底面付着部が形成されて、前記中敷き挿入溝の前後方向底面には甲皮底面付着部と同一な高さの前後方向突出付着部が前後長さ方向に突出されるように形成されて、前記硬質中敷きの前後方向には前記前後方向突出付着部が上向き貫通される前後方向切開部が上下に貫通されるように形成されて、前記硬質中敷きの前後方向上面には前後方向クッションが付着されて、甲皮の底面が突出枠部の内周面と甲皮底面付着部、前後方向突出付着部、前後方向クッションに付着されることを特徴とする。
【発明の効果】
【００１４】
前記のように本発明の前後方向が上向きに傾いた靴敷きは、インソール底面のアーチ溝に、クッション材を挿入させた状態で履き物インソールの底全面にノンスリップ敷きを付着して、履き物インソールの上面が硬質中敷きの上面に露出するようにして、硬質中敷きの上面前後方向にクッション材を付着することで、底全面に付着したノンスリップ敷きによって階段を上り下りする時や小さな石ころを踏む場合にも滑ることを防止する效果と、前後方向と中央部に設置されたクッション材によって硬質中敷きが設けられているにもかかわらず硬く感じない效果があり、硬質中敷きの上面に露出する突出付着部によっては甲皮の底面が履き物インソールの上部に堅固に接着されることができる效果があるものである。
【発明を実施するための最良の形態】
【００１５】
以下、本発明による前後方向が上向きに傾いた靴敷きに対して添付された図面の図１ないし図４を参考して説明すると次のようである。
【００１６】
本発明による前後方向が上向きに傾いた靴敷きは、図３に示されるように、底面中央部に横方向にアーチ溝１１を形成して、このアーチ溝１１の前後方向底面が上向きに傾くように形成されるインソール１０の上面に硬質中敷き２０が付着設置されて、硬質中敷き２０が付着されたインソール１０の上部に甲皮３０が付着する靴敷きに関するものである。
【００１７】
前記アーチ溝１１の底面にはアーチ溝１１を補う形態で中央クッション１２が付着されて、前記中央クッション１２の底面を含んだインソール１０の底面全体にはノンスリップ敷き付着溝１３が形成されて、前記ノンスリップ敷き付着溝１３にノンスリップ敷き１４が付着設置される。
【００１８】
この時、前記中央クッション１２は、図３の“a”のようにアーチ溝の両側先端部を連結する仮想線(一点鎖線)と同じ高さで形成しても構わないが、この中央クッション１２の底面を下側にふくらんでいる弧形で形成しても、中央クッション１２が良好なクッションを有していて弧形でふくらんでいるように形成する場合にも、歩行には支障を与えなくなる。
【００１９】
そして、図１ないし図３に示されるように、インソール１０の上面には硬質中敷き２０と同一な形状と厚さ程度の深さの中敷き挿入溝１５が形成されて、突出枠部１６の内周底面にわく型の甲皮底面付着部１７が形成されて、前記中敷き挿入溝１５の前後方向底面には甲皮底面付着部１７と同一な高さの前後方向突出付着部１８、１９が前後長さ方向に突出されるように形成される。
【００２０】
図２に示されるように、前記前後方向突出付着部１８、１９は、中敷き挿入溝１５の前後方向両側に甲皮底面付着部１７の内周面と間隔を置いて上向き突出されるようになって甲皮を付着させる時、甲皮との接着面積を拡大させるようになるものである。
【００２１】
また、前記硬質中敷き２０は硬質のプラスチックを射出成形して堅く形成することであり、これは底面が中央下部は低く前後方向は傾いて全体的に弧形で形成されるインソール１０の上面に接着されて、このような靴敷きを利用した履き物を着用した時、軟質の発泡ポリウレタンで成形されたインソール１０の前後方向が着用者の体重によって下側に伸びることを阻みながら支持するためのものである。
【００２２】
前記硬質中敷き２０は、前後方向両側に前記前後方向突出付着部１８、１９が上向き貫通される前後方向切開部２１、２２が上下に貫通されるように形成されて、前記硬質中敷き２０の前後方向の両側前方突出付着部１８の間と１９の間上面には前後方向クッション２３、２４が付着されている。
【００２３】
前記のように構成された硬質中敷き２０がインソール１０の上面に接着剤として接着された状態で、その上面に図４に示されるように、甲皮３０の底面が接着剤によって接着されるが、甲皮３０の底面が突出枠部１６の内周面と甲皮底面付着部１７、前後方向突出付着部１８、１９、前後方向クッション２３、２４に付着するようになる。
【００２４】
この時、上の接着面を除いた硬質中敷き２０の上面と甲皮３０の底面も接着はされるが、硬質のプラスチック板で形成された硬質中敷き２０の上面と皮や合成皮革、織物などで製作される甲皮の底面とは接着力が強くないのが現在の実情である。
【００２５】
図面符号のうちで未説明符号“３１”は、甲皮３０の内側に設置される内敷きとして、これは硬い紙芯材に織物を囲んだものを通常使うか、または甲皮３０と同一な材料として底全面まで包んで履き物を製作する。
【００２６】
前記のように構成されている本発明の作用関係を図１ないし図４を参考にして説明すると次のようである。
【００２７】
先ず、本発明の靴敷きを製作しようとする場合にはインソール１０の中央部底面にアーチ型で形成されたアーチ溝１１の底面にクッション力が良好な中央クッション１２を接着剤で接着させて、その後に中央クッション１２が接着された中央クッション１２の底面を含んだインソール１０の底面前後方向全体面に形成されるノンスリップ敷き付着溝１３にノンスリップ敷き１４を接着剤で接着させる。
【００２８】
この時、前記ノンスリップ敷き１４は、通常生ゴムで製作されて、その底面にはすべり防止のための多数のトレッド溝が形成されて、気候変化時にも割れなどの損傷がなくすべりを防止することができるようにする。
【００２９】
上のようにインソール１０の底全面にノンスリップ敷き１４を付着させた後には、インソール１０の上面に形成される中敷き挿入溝１５に硬質中敷き２０を挿入付着させる。
【００３０】
この時、中敷き挿入溝１５に突出されるように形成された前後方向突出付着部１８、１９が硬質中敷き２０の前後方向切開部２１、２２を上向き貫通されなければならないことは当たり前なことである。
【００３１】
このようにインソール１０上面の中敷き挿入溝１５に硬質中敷き２０を挿入付着させるようになると、硬質中敷き２０がインソール１０より小さくて硬質中敷き２０の厚さ程度の深さで中敷き挿入溝１５が形成されて、前後方向突出付着部１８、１９の高さが甲皮底面付着部１７の高さと同一であるので、甲皮底面付着部１７の上面と硬質中敷き２０の上面、前後方向突出付着部１８、１９の上面の高さが同一な高さ線上に置かれるようになる。
【００３２】
この状態で、甲皮３０の底面を硬質中敷き２０が付着されたインソール１０の上面に付着させるようになると、図３及び図４に示されるように、甲皮３０の底面わく部分が突出枠部１６の内面とその下部のわく型で形成される甲皮底面付着部１７に接着されるようになって、それと併せて硬質中敷き２０の前後方向切開部２１、２２の上面に露出した前後方向突出付着部１８、１９の上面に接着されるようになる。
【００３３】
この時、前記皮や合成皮革、織物などで製作される甲皮３０が所定のクッションを有している発泡ポリウレタンで成形されたインソール１０は、接着剤によって堅固によく付く性質があるので、硬質中敷き２０の上面に露出した前後方向突出付着部１８、１９まで甲皮３０の底面と堅固に接着されるようになるものである。
【００３４】
前記のように甲皮３０の底面を硬質中敷き２０が接着されたインソール１０の上面に接着させる時、両側前後方向突出付着部１８、１９の間の硬質中敷き２０上面に接着された前後方向クッション２３、２４によって硬質中敷き２０の上面と甲皮３０の底面、すなわち、甲皮３０の内側底面に付着した内敷き３１と部分的に接着されないことで心配になることがあるであろう。
【００３５】
しかし、前記前後方向クッション２３、２４が接着される部分は甲皮３０の内側底面に付着する内敷き３１の底面に付着するので、甲皮３０の厚さと、前後方向クッション２３、２４が薄い(３〜５mm)スポンジやＥＶＡのようなクッション性が良好な材料を利用するので、このような前後方向クッション２３、２４が上面に付着した硬質中敷き２０を付着させたインソール１０の上面に甲皮３０を付着させる時、接着させる部分を圧縮しながら付着させるために、前記前後方向クッション２３、２４が圧縮されながらその周辺も共に接着されるようになるものである。
【００３６】
前記のように硬質中敷き２０の上面に甲皮３０の底面を付着させる時、硬質中敷き２０の上面に織物を付着させてプラスチックでなされた硬質中敷き２０と甲皮３０の底面がよく付くようにすることは、従来の方法と同一であることを明らかにしておく。
【００３７】
本発明はやわらかい材質で形成される履き物インソールの底面中央がふくらんでいて前後方向が上向きに傾いた状態で、その上面には平らで堅い硬質中敷き２０が設けられているが、このような靴敷きが設置された履き物を着用した時、前後方向は地面と離れていて中央部だけが地面に触れた状態である。
【００３８】
この時は、靴敷きの前後方向が下側に下がろうとするが、堅い硬質中敷き２０が体重を支えていて、前後軸部分が下側にしなって下がろうとして、中央部は上側に撓めようとする力が発生するようになって、足裏全体に圧迫が加えられてある程度指圧效果があるが、着用時間が長くなると圧迫の水準が高くなって痛症として作用するようになる。
【００３９】
ところが、本発明ではインソール１０底面の中央クッション１２と硬質中敷き２０の上面前後方向に前後方向クッション２３、２４が設けられていることによって、前記圧迫力を減殺させて足裏に作用する痛症を緩和させるようになるものである。
【００４０】
そして、本発明による靴敷きの底面全体にはすべりを防止するノンスリップ敷き１４が設けられて、歩行時、ある部分に他の物体が踏まれてもすべりが発生しなくなる效果があるものである。
【００４１】
すなわち、人が階段を上がる時は足裏の中央部底面が大部分階段の角部分に着くが、従来の発明を含んだ従来の一般的な大多数の履き物は、中央部底面には滑り止め手段が具備されていなくて階段を上がる時、滑る心配がある。しかし、本発明は前記でも言及したところのように、靴敷きの底全面にすべり防止のためのノンスリップ敷き１４が設けられていることによって、階段でのすべりを予防することができるものである。
【００４２】
それだけでなく、山道のような未鋪装でなされた道を歩く場合にも小さな石ころが足裏のある部分にでも踏まれることがあるが、本発明は前記の説明と同様に靴敷きの底全面にすべり防止のためのノンスリップ敷き１４が設けられていることによって、小さな石ころや岩などが足裏の底面中央に踏まれる場合にもすべりを予防することができるものである。
【００４３】
一方、本発明を説明するにおいて、履き物インソールの底面中央がふくらんでいて前後方向が上向きに傾いた靴敷きが設置された履き物を着用した時、履き物の前後方向が虚空に浮かんで下側に下がろうとする力が作用するようになるが、この時は人体の重心が後方に傾くようにして、それによって後方バランスによる胴体筋肉を活性化して歩行時に作用する筋肉を普段にも鍛錬させることができるし、歩行時に衝撃を最小化して長い間にはいていても安定感があって、楽で筋肉鍛錬效果があることは従来の発明と同一で、それに対する具体的な説明は省略した。
【図面の簡単な説明】
【００４４】
【図１】本発明の分解斜視図である。
【図２】本発明による靴敷きの平面図である。
【図３】図３のＡ-Ａ線の断面図である。
【図４】図３のＢ-Ｂ線の断面図である。
【符号の説明】
【００４５】
１０  インソール
１１  アーチ溝
１２  中央クッション
１３  ノンスリップ敷き付着溝
１４  ノンスリップ敷き
１５  中敷き挿入溝
１６  突出枠部
１７  甲皮底面付着部
１８  前方突出付着部
１９  後方突出付着部
２０  硬質中敷き
２１  前方切開部
２２  後方切開部
２３  前方クッション
２４  後方クッション
３０  甲皮
３１  内敷き
【図１】
2009519741.tif 000003
【図２】
2009519741.tif 000004
【図３】
2009519741.tif 000005
【図４】
2009519741.tif 000006
【国際調査報告】
2009519741.tif 000007
2009519741.tif 000008